(57)【要約】【課題】圧力損失が低く、かつ高効率にフィルタ機能が発揮される換気口用脱臭フィルタを提供すること。【解決手段】住宅などの建物の換気口１０に装着される脱臭フィルタ１１であって、脱臭シートからなり、前記換気口１０内に出入りする空気の濾過方向に平行となるように濾過面１１ａを設けたことを特徴とする。【選択図】図１
2004321651.tif 000002
【特許請求の範囲】
【請求項１】
換気口に装着される脱臭フィルタであって、
脱臭シートからなり、前記換気口内に出入りする空気の濾過方向に平行となるように濾過面を設けたことを特徴とする換気口用脱臭フィルタ。
【請求項２】
濾過方向に占める面積比率が１０〜６０％であることを特徴とする請求項１記載の換気口用脱臭フィルタ。
【請求項３】
脱臭シートをプリーツ加工すると共に折り襞が放射状に広がるように丸めてなることを特徴とする請求項１または２記載の換気口用脱臭フィルタ。
【請求項４】
脱臭シートが活性炭を含んで成ることを特徴とする請求項１〜３のいずれかに記載の換気口用脱臭フィルタ。
【請求項５】
活性炭が吸着剤または化学脱臭剤を添加した添着炭であることを特徴とする請求項４記載の換気口用脱臭フィルタ。
【請求項６】
請求項１〜５のいずれかに記載の換気口用脱臭フィルタの一方端面または両端面に除塵フィルタが配置されていることを特徴とする換気口用脱臭フィルタ。
【発明の詳細な説明】
【０００１】
【発明の属する技術分野】
本発明は、例えば自然換気される住宅などの建物に設けられた換気口に装着される脱臭フィルタでって、圧力損失が低く、かつ高効率にフィルタ機能が発揮される換気口用脱臭フィルタに関する。
【０００２】
【従来の技術】
近年、省エネルギーの観点から、住宅の断熱性向上、高機密化が図られている。一方、建物の高気密化により自然換気が少なくなり、空気が淀み、化学物質による汚染が懸念されるようになっている。
【０００３】
これらの問題に対しては、化学物質の発生をできるだけ抑える建材を使用すると共に、各部屋の壁には換気口が設置され、室内外の空気を入れ換えできるようするなどの対策がなされている。
【０００４】
ところが、換気口の設置による建物の換気量の増大に伴い、この換気口を通して室外から塵埃、臭気あるいは、花粉などが侵入するという新たな問題が生じている。
【０００５】
従来、塵埃、臭気あるいは、花粉などの室内への侵入を防止するため、換気口内にはフィルタを装着していた。例えば図７に示すものは、除塵機能を有する除塵シートに抗菌機能を有する抗菌シートと脱臭機能を有する脱臭シートとをラミネートするとともに、表面積を増大させるために蛇腹部２ａを設けたフィルタ２であり、これを建物の壁３に形成した換気口１の空気通路全体を塞ぐように換気口１に装着して空気の清浄化を図っていた（例えば特許文献１参照）。
【０００６】
【特許文献１】
特開平１１−２４８２１１号公報
【０００７】
【発明が解決しようとする課題】
しかしながら、換気扇などの空気を強制的に換気する装置を設けていない換気口の場合、その換気は換気口を通じて室内あるいは屋外の空気が自然に連通するだけのものであることから、換気口の空気通路全体を塞ぐように設けられており、しかも空気が除塵、脱臭など各機能シートを通過する過程で除塵、脱臭といった機能が発揮されるようになっているフィルタの場合、圧力損失が高くなってしまい、当該フィルタを空気が通過できずに本来の機能が発揮されないという不具合を生じる恐れがある。
【０００８】
さらに、この種の換気口に前述した形態のフィルタを備え、空気を強制的に吸気した場合であっても、フィルタ分の圧力損失が大きく、換気にかかるコストの増大を来していた。
【０００９】
本発明は、このような不具合に鑑みなされたものであり、圧力損失が低く、かつ高効率にフィルタ機能が発揮される換気口用脱臭フィルタを提供することを目的とするものである。
【００１０】
【課題を解決するための手段】
上記目的を達成するため、本発明は、住宅などの建物の換気口に装着される脱臭フィルタであって、脱臭シートからなり、前記換気口内に出入りする空気の濾過方向に平行となるように濾過面を設けたことを特徴とする換気口用脱臭フィルタをその要旨とした。
【００１１】
本発明の換気口用脱臭フィルタは、換気扇など、空気を強制的に換気する装置を設けた場合、または室内あるいは屋外の空気が換気口を通じて自然に連通して換気される換気口に装着されるものである。
【００１２】
以下、本発明の換気口用脱臭フィルタを図面に示した一実施の形態に従って詳しく説明する。図１および図２に示す換気口１０は自然換気されるものである。建物の壁３に形成された換気口１０の屋外側には、建物内部への雨水等の侵入を防ぐ略半球状のフード４と、換気口１０の開口を開閉するガラリ５が取付枠６によって換気口１０の周縁に沿って取り付けられている。一方、換気口１０の屋内側開口には、虫の侵入および換気口からの脱落を防ぐためのネット７が取り付けられている。本発明の換気口用脱臭フィルタ１１（以下、単に脱臭フィルタ１１という）は、このように構成された換気口１０内に装着されるようになっている。
【００１３】
本発明の脱臭フィルタ１１は、空気中に含まれる臭気を吸着、分解などにより除去する脱臭シート１２からなる。脱臭シート１２は、不織布、紙、織物、編物、ネットあるいは、これらを複数積層した複合物などからなる通気性を有するシート状部材に脱臭機能を有する脱臭粉粒体を担持、固着したものである。
【００１４】
脱臭粉粒体としては、従来公知のものを用いることができ、例えば活性炭やゼオライトなどの物理的吸着作用を有する吸着剤を含むもの、酸化チタン、フタロシアニン、白金などの触媒作用を有するもの、あるいは臭気に直接作用する化学脱臭剤などを挙げることができる。
【００１５】
化学脱臭剤としては、酸性臭気に対して作用するものとして、炭酸カリウム、炭酸水素カリウム、炭酸ナトリウム、炭酸水素ナトリウムなどのアルカリ金属炭酸塩や、エタノールアミン、ヘキサメチレンジアミン、ピペラジンなどのアミン化合物、アルカリ臭気に対して作用するものとして、燐酸、硫酸、硝酸、リンゴ酸、クエン酸、アスコルビン酸などを挙げることができる。
【００１６】
また脱臭粉粒体は、例えば上記酸性臭気用粉粒体とアルカリ臭気用粉粒体を組合せたり、これら酸性臭気用粉粒体やアルカリ臭気用粉粒体を活性炭などの物理的吸着作用を有する粉粒体に付着させるなど、多種類の脱臭粉粒体を組み合わせた形態でシート状部材に担持、固着させることもできる。
【００１７】
また、脱臭粉粒体のシート状部材への担持、固着方法としては、例えばシート状部材に脱臭粉粒体を含むバインダーを付着させることで、脱臭粉粒体をバインダーを介してシート状部材に固着させる方法、あるいはシート状部材としてホットメルト樹脂からなる不織布を用い、この不織布を脱臭粉粒体と接触させた状態で加熱処理することによって、シートに樹脂凝集部を形成し、この樹脂凝集部に脱臭粉粒体を固着担持させる方法などを挙げることができる。
【００１８】
脱臭フィルタ１１は、図１に示すように換気口１０に装着したとき、換気口１０内に出入りする空気の濾過方向Ａに平行となるように濾過面１１ａが設けられている。空気は換気口１０内を濾過方向Ａに出入りする過程で、空気の濾過方向Ａに平行となるように設けられた換気口用フィルタ１１の濾過面１１ａと接触し、このとき、空気中に含まれる除塵およびまたは脱臭がなされ、空気が清浄化されるようになっている。このため、該脱臭フィルタ１１は空気の流れの大きな障害とはならないので、該脱臭フィルタ１１の圧力損失は非常に低くなっている。
【００１９】
本発明の脱臭フィルタ１１の場合、濾過方向に占める面積比率は、１０〜６０％であることが望ましい。脱臭フィルタ１１の面積比率が１０％を下回る場合、圧力損失は小さくなるが空気中に含まれる臭気の吸着、分解といった脱臭機能が不十分となる。一方、面積比率が６０％を上回る場合には圧力損失が大きくなり、このため、十分な通気が確保できず、この場合にも本来の脱臭機能が発揮されなくなる。
【００２０】
本発明の脱臭フィルタ１１の具体的な形態としては、例えば図１〜図４に示すように、脱臭シート１２をプリーツ加工すると共に折り襞が放射状に広がるように丸めてなるものを挙げることができる。
【００２１】
この形態の場合、図４に示すように脱臭シート１２の厚みを薄くし、かつ折り襞の数を少なくすることにより、換気口１０に装着したときに、該換気口用フィルタ１１を空気が通過する空間が広くなり、そのときの圧力損失はより小さくなる。一方、脱臭シート１２の厚みを厚くし、かつ折り襞の数を多くすることにより、該脱臭フィルタ１１を空気が通過する空間は狭くなり、圧力損失は高くなる反面、濾過面１１ａと空気との接触面積が大きくなるので、その分除塵および脱臭の効果は高くなる。このため、換気口１０の大きさおよび奥行き、部屋の種類に応じて、脱臭シート１２の厚みや折り襞の数を適宜変更するとよい。
【００２２】
また、この脱臭フィルタ１１の外周面には円筒状のシート１４が取り付けられていて、該脱臭フィルタ１１の折り襞が放射状に広がる形状が固定されている。このため、脱臭フィルタ１１の折り襞相互の間隔もシート１４により固定され、隣接する折り襞が接触することがなく、折り襞相互を通過する空気の経路が一定間隔に保持されている。
【００２３】
また、本発明の脱臭フィルタ１１の別の形態としては、脱臭シートを用いたハニカム構造体からなるもの、あるいは脱臭シートを用いたコルゲート構造体からなるものなどを挙げることができる。
【００２４】
脱臭シートを用いたハニカム構造体やコルゲート構造体の場合についても、使用する脱臭シートの厚さ、カムの大きさや繰り返し幅を適宜変更することで、該脱臭フィルタの圧力損失の大小、除塵および脱臭の効果を調製することができる。
【００２５】
また、図１〜図４に示す形態では、脱臭フィルタ１１を挟持するように前記脱臭フィルタ１２の一方の円筒端面（両端面でもよい。）に除塵フィルタ１３が配置されている。除塵フィルタ１３は、空気中の塵や埃を捕集するものであり、例えば不織布、紙、織物、編物、ネットあるいは、これらを複数積層した複合物などの除塵シートからなるもの、あるいは前記除塵シートにプリーツ加工を施して表面積を大きくしたものを用いることができる。
【００２６】
本発明の脱臭フィルタ１１の一方端面に除塵フィルタ１３を配置する場合、該除塵フィルタ１３は、図面に示すように、換気口１０を塞ぐように配置されるため、換気口１０内の空気の出入りを阻害しない程度の通気性を有するものが望ましくは、具体的には３０ｃｍ／ｓで５Ｐａ以下の低い圧力損失を有するものが望ましい。
【００２７】
図５および図６に示す形態は、脱臭フィルタ１１と除塵フィルタ１３とが脱臭フィルタ１１の両端面の芯部分（芯から６ｍｍ、好ましくは４ｍｍの幅）に塗布されたホットメルト樹脂を介して接着されていて、これら脱臭フィルタ１１と除塵フィルタ１３を一体物として取り扱いができるようにしたものである。この形態の場合、脱臭フィルタ１１の両面に接着された除塵フィルタ１３によって、折り襞相互の間隔が固定され、隣接する折り襞が接触することがなく、折り襞相互を通過する空気の経路が一定間隔に保持されるようになっている。
【００２８】
尚、脱臭フィルタ１１の接着剤の塗布面積は、デッドスペースとなって濾過に寄与しない。このため、例えば脱臭フィルタの接着剤の塗布面積が  脱臭シートの濾過方向に占める面積として実施例に係るフィルタでは、７０〜４００ｍｍ２の範囲とするのが濾過機能に悪影響を及ぼしにくいという点から望ましい。
【００２９】
【実施例】
１．脱臭シートの製造
ポリエステルからなる面密度２０ｇ／ｍ２のスパンボンドを用い、これを支持体として面密度１０ｇ／ｍ２のポリアミド系ホットメルト不織布を積層し、次いで、ポリアミド系ホットメルト不織布上に３２〜６０メッシュの範囲内に分級した活性炭を撒布した（２７５ｇ／ｍ２）。次いで、前記スパンボンド側から水蒸気処理を行って、前記ポリアミド系ホットメルト不織布を可塑化溶融させて、ホットメルト樹脂からなる連結部と樹脂凝集部とを形成し、前記樹脂凝集部を介して活性炭を固着した。
【００３０】
この後、前記活性炭の固着側面に面密度２０ｇ／ｍ２のポリアミド系ホットメルト不織布を積層し、この上面に３２〜６０メッシュの範囲内に分級した活性炭を撒布した（２７５ｇ／ｍ２）。次いで、活性炭上に面密度２０ｇ／ｍ２のポリアミド系ホットメルト不織布を積層し、さらにこのホットメルト不織布上面にポリエステルからなる面密度２０ｇ／ｍ２のスパンボンドを積層した。
【００３１】
この後、水蒸気処理を行って、前記ポリアミド系ホットメルト不織布を可塑化溶融させて、ホットメルト樹脂からなる連結部と樹脂凝集部とを形成し、前記樹脂凝集部を介して活性炭を固着し、目的とする脱臭シートを得た。
【００３２】
得られた脱臭シートの面密度は３６５ｇ／ｍ２であり、見かけ厚さは約１ｍｍであった。
２．脱臭フィルタの製造
得られた脱臭シートを、プリーツ加工すると共に折り襞が放射状に広がるように丸めて両端部を接合することにより、図３に示す脱臭フィルタを得た。
【００３３】
尚、脱臭フィルタの折り襞の高さは２８ｍｍであり、折り襞の数は３６、外形寸法は８０ｍｍであり、高さ（換気口の奥行き方向の寸法）は３０ｍｍであった。また、得られた脱臭フィルタの面積比率は約４０％であった。
３．除塵フィルタとの一体化
次いで、上記脱臭フィルタの一方端面に該脱臭フィルタの芯部分から４ｍｍの幅でホットメルト樹脂を塗布し、これに面密度が２０ｇ／ｍ２のポリエステルスパンボンド不織布からなる除塵フィルタを接着した。
【００３４】
尚、脱臭フィルタの接着剤の塗布面積は、デッドスペースとなって濾過に寄与しない。このため、例えば脱臭フィルタの接着剤の塗布面積が  脱臭シートの濾過方向に占める面積として実施例に係るフィルタでは、７０〜４００ｍｍ２の範囲とするのが濾過機能に悪影響を及ぼしにくいという点から望ましい。
【００３５】
【発明の効果】
本発明の脱臭フィルタにあっては、換気口内に出入りする空気の濾過方向に平行となるように濾過面を設けたことから、圧力損失が低く、かつ高効率にフィルタ機能が発揮されるようになっており、自然に換気される換気口用フィルタとして好ましい。
【図面の簡単な説明】
【図１】本発明の脱臭フィルタを換気口内に装着した状態を示し拡大断面図。
【図２】換気口内に装着される本発明の脱臭フィルタ、除塵フィルタ、虫除けネットなどを示した組み立て斜視図。
【図３】本発明の脱臭フィルタを示す拡大斜視図。
【図４】本発明の脱臭フィルタの平面図。
【図５】本発明の脱臭フィルタの別の形態を示す拡大斜視図。
【図６】本発明の脱臭フィルタの別の形態を示す平面図。
【図７】従来の本発明の脱臭フィルタを示す拡大斜視図。
【符号の説明】
１０・・・換気口
１１・・・脱臭フィルタ
１１ａ・・・濾過面
１２・・・脱臭シート
１３・・・除塵フィルタ
【図１】
2004321651.tif 000003
【図２】
2004321651.tif 000004
【図３】
2004321651.tif 000005
【図４】
2004321651.tif 000006
【図５】
2004321651.tif 000007
【図６】
2004321651.tif 000008
【図７】
2004321651.tif 000009